(57)【要約】【課題】  脂溶性ビタミン非吸着性の合成樹脂を用いて成形したポンプディスペンサーと容器を提供すること。【解決手段】  ポンプディスペンサーにおいて、少なくともポンプのシリンダーと吸上げパイプを、脂溶性ビタミン非吸着性の合成樹脂を用いて形成したこと、または、少なくともポンプのシリンダーと吸上げパイプの外周面を、脂溶性ビタミン非吸着性の合成樹脂で被覆したことを特徴とする。  ポンプディスペンサー付容器において、少なくとも容器本体の内面と、少なくともポンプのシリンダーと吸上げパイプ、或いは、該シリンダーと吸上げパイプの外周面を、脂溶性ビタミン非吸着性の合成樹脂を用いて形成したことを特徴とする。【選択図】  図１
2005132466.tif 000002
【特許請求の範囲】
【請求項１】
ポンプディスペンサーにおいて、
少なくともポンプのシリンダーと吸上げパイプを、脂溶性ビタミン非吸着性の合成樹脂を用いて形成したことを特徴とするポンプディスペンサー。
【請求項２】
ポンプディスペンサーにおいて、
少なくともポンプのシリンダーと吸上げパイプの外周面を、脂溶性ビタミン非吸着性の合成樹脂で被覆したことを特徴とするポンプディスペンサー。
【請求項３】
ポンプディスペンサー付容器において、
少なくとも容器本体の内面と、少なくともポンプのシリンダーと吸上げパイプ、或いは、該シリンダーと吸上げパイプの外周面を、脂溶性ビタミン非吸着性の合成樹脂を用いて形成したことを特徴とする液吐出容器。
【発明の詳細な説明】
【技術分野】
【０００１】
本発明は、ポンプディスペンサー、とくに脂溶性ビタミン非吸着性の材料を使用したポンプディスペンサーに関するものである。
【背景技術】
【０００２】
吐出ノズルを具えたノズルヘッド、ピストン機構を内蔵したシリンダー、吸上げパイプを具備したポンプディスペンサーを、取付キャップを介して容器口部に取着した液吐出容器であって、主要部品のノズルヘッド、ポンプのシリンダー、吸上げパイプ等をポリプロピレン、高密度ポリエチレン等の熱可塑性樹脂を用いて成形し、容器本体を熱可塑性樹脂、或いは、ガラス製とした液吐出容器は、従来より知られている（特許文献１参照）。
【特許文献１】特開平１１−１９８９５４
【発明の開示】
【発明が解決しようとする課題】
【０００３】
しかしながら、最近、ビタミンＣ、脂溶性ビタミンであるビタミンＥ等を含有する化粧料が市販されるようになっているが、内容液にビタミンＥが含有されている場合には、ビタミンＥが液吐出容器を構成するポリプロピレンやポリエチレンに吸着され、内容液中のビタミンＥが減少し、その効果が減衰するという問題があった。
【０００４】
とくに、使用前の容器を正立させた状態では、シリンダーの下方部分や吸上げパイプは、容器内の液中に浸っているので、容器がポリプロピレン、ポリエチレン製の場合には、容器本体は勿論のこと、シリンダーや吸上げパイプにビタミンＥが吸着し、内容液からビタミンＥ成分が少なくなり、ビタミンＥの効果が得られないという問題が生じた。
【０００５】
本発明は、上記の課題を解決することを課題として、脂溶性ビタミン非吸着性の合成樹脂を用いて成形したポンプディスペンサーと容器を提供することを目的とする。
【課題を解決するための手段】
【０００６】
本発明は、上記の課題を解決するため、ポンプディスペンサーにおいて、少なくともポンプのシリンダーと吸上げパイプを、脂溶性ビタミン非吸着性の合成樹脂を用いて形成したことを特徴とする構成を採用する。
【０００７】
別実施態様として、ポンプディスペンサーにおいて、少なくともポンプのシリンダーと吸上げパイプの外周面を、脂溶性ビタミン非吸着性の合成樹脂で被覆したことを特徴とする構成を採用する。
【０００８】
ポンプディスペンサー付容器において、少なくとも容器本体の内面と、少なくともポンプのシリンダーと吸上げパイプ、或いは、該シリンダーと吸上げパイプの外周面を、脂溶性ビタミン非吸着性の合成樹脂を用いて形成したことを特徴とする構成を採用する。
【発明の効果】
【０００９】
容器本体と、ポンプのシリンダーと吸上げパイプを、脂溶性ビタミン非吸着性の合成樹脂を用いて形成したので、内容液に脂溶性ビタミンが含有されている場合に、脂溶性ビタミンの減少による変質等を防止できるようになった。 
【発明を実施するための最良の形態】
【００１０】
次に、脂溶性ビタミンであるビタミンＥを含む内容液を収容したポンプディスペンサー付容器について説明する。
【００１１】
図１において、Ａは容器、Ｂは取付キャップ、Ｃは取付キャップＢにより容器Ａに取着されたポンプディスペンサー、Ｄはノズルヘッド、Ｅはオーバーキャップである。
【００１２】
容器Ａは、口部１と肩部２、胴部３と底部４とからなり、口部１の外周には、ねじ５が螺設されている。
容器Ａ内には、ビタミンＥを含有した化粧水、乳液等の化粧料が収納されている。
【００１３】
図１に示すように、取付キャップＢは、上壁６と内周にねじを螺設した側周壁７とを備えており、上壁６の外周近くには、カバー筒８が立設され、内周縁には、上端内周に係止環を設けた案内筒９が立設されている。
【００１４】
ディスペンサーポンプＣは、シリンダーＣ１とシリンダーＣ１内に内蔵されたピストン部材Ｃ２とを具えている。
シリンダーＣ１の上端には、取付フランジ１１が設けられ、パッキンを介して取付キャップＢによって容器Ａの口部１に取り付けられるようになっており、シリンダーＣ１の下端には、吸上げパイプ１２が連設されている。
【００１５】
ピストン部材Ｃ２の上端のステム１３には、ノズル１４を設けたノズルヘッドＤが取着されており、ポンプディスペンサーＣは、ノズルヘッドＤの上下作動に応じて、一定量の内容液を吐出することができるものであればよく、ステムを連接したピストン、ばね等を有する従来公知のものである。
【００１６】
次に、本ポンプ付液吐出容器の成形材料について説明する。
内容液に接触する部品の成形材料として、脂溶性ビタミン非吸着性のＰＥＴ（ポリエチレンテレフタレート樹脂）、ＰＢＴ（ポリブチレンテレフタレート樹脂）、ＰＣ（ポリカーボネイト樹脂）、ＰＶＣ（塩化ビニール樹脂）、ＥＶＯＨ（エチレンビニールアルコール共重合体）等が用いられる。
【００１７】
容器Ａは、ＰＥＴ樹脂等の前記した樹脂材料を素材としたブロー成形ボトル、或いは、内層をＥＶＯＨ樹脂等の前記した樹脂材料、外層をポリオレフィン樹脂等とした積層ブロー成形ボトルである。
また、容器Ａの内面を前記した樹脂材料で被覆した容器を用いてもよい。
【００１８】
取付キャップＢは、従来公知のものと同様に、ＰＥ、またはＰＰ樹脂をもって射出成形されている。
【００１９】
ポンプディスペンサーＣのシリンダーＣ１は、前記のビタミンＥの吸着性の少ないいずれかの樹脂を用いた射出成形品、或いは、外周面を前記の樹脂で被覆したものが使用される。
吸上げパイプ１２は、前記した樹脂材料の単層、積層、または被覆したものの押出成形品が使用される
【００２０】
一つの実施例では、シリンダーＣ１をＰＢＴで射出成形し、吸上げパイプ１２を内外層にＥＶＯＨ、中間層にポリオレフィンに無水マレイン酸をグラフト重合した酸変性ポリオレフィンを使用した三層の積層品を押出し成形し、所要の長さにカットしたものを使用している。
【００２１】
次に、本発明の使用態様と作用効果について説明する。
本発明の液吐出容器は、肌の艶や張り、老化現象を防ぐビタミンＥを含有した乳液や、化粧水を収納し、仮キャップを被嵌した容器、或いは、該容器にポンプディスペンサーを取着し、オーバーキャップを被嵌したもの、前記容器とポンプディスペンサーを別個に包装したものを市場に出荷している。
【００２２】
容器Ａの使用にあたっては、容器口部の注出口から直接所要量の内容液を注出して手のひらに載せて肌に塗布するか、容器ＡにポンプディスペンサーＣを取着した場合には、ノズルヘッドＤを押下げ操作して、一定量の内容液を吐出して手のひらに載せ塗布するようにしている。
また、ポンプディスペンサーにより、被塗布面に直接吹き付けるようにしてもよい。
【００２３】
また、ポンプディスペンサーＣを取着した容器Ａの場合、ノズルヘッドＤを押下げ、手を離すと、ばねの付勢により、ノズルヘッドＤ、ピストンが上昇し、シリンダーＣ１内に内容液が吸上げられる。
【００２４】
次に、ノズルヘッドＤを押下げたときに、シリンダーＣ１内の内容液は、ピストン内に入り、ノズル１４から吐出される。
【００２５】
ノズルヘッドＤの上昇時には、内容液が吸上げパイプ１２を通じてシリンダーＣ１内に吸上げられて、シリンダーＣ１の内外面と吸上げパイプ１２は、常時内容液に接することになるが、ピストン部材Ｃ２とノズルヘッドＤは、注出時に内容液と接触するだけであるので、ビタミンＥ非吸着性の少ない材料を用いることは好ましいが、従来公知のＰＥ、ＰＰであってもよく、容器ＡとシリンダーＣ１、吸上げパイプ１２が、ビタミンＥ非吸着性のものであるので、内容液中のビタミンＥの減少による変質を防ぐことができる。
【００２６】
次に、別実施例について説明する。
前記実施形態では、吐出ノズルを具えたノズルヘッドＤをポンプディスペンサーＣに取着したが、内容液が化粧水の場合に、ノズルヘッドに変え、ポンプに噴霧器を取着するようにしてもよい。
この場合も、ポンプのシリンダーとパイプ、或いは、容器は、ビタミンＥ非吸着性の合成樹脂を素材として成形されているので、前記実施形態と同様の作用効果を得ることができる。
【産業上の利用可能性】
【００２７】
上記実施形態では、脂溶性ビタミンであるビタミンＥを含有する化粧料を内容液とした液吐出容器について説明したが、化粧料だけでなく、ビタミンＥ等の脂溶性ビタミンを含む薬液、飲料水のポンプディスペンサー付容器にも利用できる。
【図面の簡単な説明】
【００２８】
【図１】本発明液吐出容器の一部断面立面図である。
【符号の説明】
【００２９】
Ａ        容器
Ｂ        取付キャップ
Ｃ        ポンプディスペンサー
Ｃ１      シリンダー
Ｃ２      ピストン部材
Ｄ        ノズルヘッド
Ｅ        オーバーキャップ
１        口部
２        肩部
３        胴部
４        底部
５        ねじ
６        上壁
７        側周壁
８        カバー筒
９        案内筒
１１      取付フランジ
１２      吸上げパイプ
１３      ステム
１４      ノズル
【図１】
2005132466.tif 000003